(57)【要約】【課題】床下などに新たに合成樹脂管を敷設する工事に用いる工具を、ロッド操作に不慣れな者でも、簡易な操作で障害物を除けて目的の位置までロッドを正確に通して合成樹脂管の敷設が可能とする。【解決手段】弾性伸縮ロッド（１）の一端に合成樹脂管（４）が接続する管継手（３）を取り付け、ロッド（１）の他端に、先端に球体（２３）が取り付けられたコイルバネ（２２）を、ロッド（１）の軸に対し傾いた偏芯位置に取り付けて工具を構成する。【選択図】図１
2007263138.tif 000002
【特許請求の範囲】
【請求項１】
弾性伸縮ロッドの一端に合成樹脂管が接続する管継手を取り付け、他端に先端に球体が取り付けられたコイルバネをロッドの軸に対し傾けて取り付けた構成を有する管敷設工具。
【発明の詳細な説明】
【技術分野】
【０００１】
本発明は、既設建築物の壁裏や床下などに合成樹脂管を新たに敷設する場合に用いる工具に関する。
【背景技術】
【０００２】
住宅の天井裏や床下などの隙間に電線やケーブルなどを通す工事において、例えば図５に示されるような、グラスファイバー製の棒材１００ａを複数本連結して所望の長さに設定可能とした伸縮自在なロッド１００の先端に電線連繋部１０１を取り付けた構成の通線用工具が使用されている（例えば特許文献１参照）。
【０００３】
【特許文献１】実用新案登録第３０３２５４９号公報
【発明の開示】
【発明が解決しようとする課題】
【０００４】
近時、住生活への関心の高まりから、暮らしに合わせて住まいをより快適に作り変えるリフォームが浸透しつつある。住宅内の各リフォーム箇所では、キッチンや洗面所、浴室、トイレなどの水まわりのリフォームが最も多く、この場合に、給排水設備の設置場所を移動したり新たに取り付けたりするための配管の敷設工事は、床や壁を剥がして行うようにしている。
【０００５】
床や壁を剥がさずに配管を敷設できれば、水回りのリフォーム工事費用を安く抑えることが可能であり、そのための手段として、給排水管となる合成樹脂管の敷設に前記通線用工具を適用することが考えられる。
しかし、前記通線用工具は、単に屈曲するロッド１００の先端に電線連繋部１０１を取り付けた「釣り竿」のような構成のものに過ぎないため、配管が既に敷設されている床下などでは、ロッド１００を通すのに既設配管が邪魔となり、既設配管を除けて正確にロッド１００を通す操作に熟練を要し、ロッド操作作業者も限定されてしまうという問題がある。ロッド１００の取り扱いに不慣れな者がロッド１００を操作したのでは、新たに合成樹脂管を敷設することも含めた水まわりのリフォームの工期が長期化する事態も招きかねない。
【０００６】
本発明は従来技術の有するこのような問題点に鑑み、壁裏や床下の空間に新たに合成樹脂管を敷設する工事に用いる工具を、ロッド操作に不慣れな者であっても、空間内の障害物を簡単な操作で除けて目的の位置までロッドを正確に通し、このロッドに沿って合成樹脂管を短時間で敷設できるようにすることを課題とする。
【課題を解決するための手段】
【０００７】
前記課題を解決するため、本発明の管敷設工具は、弾性伸縮ロッドの一端に合成樹脂管が接続する管継手を取り付け、他端に先端に球体が取り付けられたコイルバネをロッドの軸に対し傾けて取り付けた構成を有することを特徴とする。
【０００８】
本発明の工具を用いた合成樹脂管の敷設は、新たに合成樹脂管を敷設する床下などの敷設空間の挿入口に球体が取り付けられた側からロッドを差し入れ、挿入口から離れた到達口に向けてロッドを押し込み、ロッド先端が到達口に達したならば、管継手を介してロッド端部に合成樹脂管を接続した状態でロッドを到達口から引き抜き、ロッドの通線経路に沿って合成樹脂管を挿入口から到達口まで通すことにより行われる。
【０００９】
球体はコイルバネを挟んでロッドの軸に対して偏芯した位置に取り付けてあり、ロッドを回転させるとロッド先端で球体がロッドの軸周りで大きく回転するようになっている。従って、敷設空間内に既設配管などの障害物があり、当該空間内に押し込んだロッドの先端が障害物に当たったときにロッドを回転すれば、ロッドの先端で大きく回転する球体が障害物に沿って周辺の空隙に変位し、そのままロッドを回転しながら押し込めば、障害物を除けてロッド先端が空隙に進出し、障害物を乗り越え、潜り又は障害物の側方にロッドの位置をずらしつつ、ロッドを到達口まで押し込むことができる。
【００１０】
ロッドの先端部分が球体であるので、障害物との接触抵抗が小さくなって障害物表面の凹凸に引っ掛かり難く、ロッド先端が障害物に接してもロッドを無理なくスムーズに押し込むことができる。また、コイルバネを介して球体が取り付けてあるので、ロッドを押し込む操作で球体が障害物に当たっても、コイルバネがクッションとなって障害物に加わる衝撃は小さく抑えられ、障害物表面を傷つけることはない。
【発明を実施するための最良の形態】
【００１１】
本発明の好適な一実施形態を図面を参照して説明する。
図１は本発明の一実施形態の管敷設工具の端部に合成樹脂管を連結した状態の全体構成図、図２はロッド先端部の部材拡大構成図、図３はロッド後端部の部材拡大構成図、図４は本発明の工具を用いて床下に合成樹脂管を敷設する工程を示した図である。各図において、符号１はロッド、２はロッド先端に取り付けられる通線ヘッド、３はロッド後端に取り付けられる管継手、４は合成樹脂管をそれぞれ示している。
【００１２】
ロッド１は、一端に雄ネジ、他端に雌ネジが形成された、グラスファイバーなどの可撓性及び復元性を有する弾性に富んだ材料からなる適宜な長さの棒材１１を、複数本継ぎ合わせて構成されており、継ぎ合わす棒材１１の本数を変えることで、全体の長さを伸縮設定することができるようになっている。
【００１３】
通線ヘッド２は、図２に示されるように、略「ヘ」字形に屈曲してなる基部２１の一端２１ａにロッド１の先端に連結する雄ネジを形成し、他端２１ｂに適宜な長さのコイルバネ２２を一体に取り付け、さらにコイルバネ２２の先端に、合成樹脂やゴム材などの弾性材からなる適宜な径の球体２３を取り付けて構成してある。
同図に示されるように、コイルバネ２２と球体２３はともに基部２１の他端２１ｂの中心軸Ｓ上に取り付けられており、通線ヘッド２をロッド１に連結した状態では、コイルバネ２２と球体２３はロッド１の軸Oに対して斜めに傾いた偏芯位置に配され、軸Oを中心にロッド１を回転させると、球体２３が図中に破線で示した、軸Ｏから偏芯した距離だけ離れた位置で当該軸周りを回転するようになっている。
【００１４】
管継手３は、図３（Ａ）に示されるように、一端３１ａが球面状、他端３１ｂが合成樹脂管４よりも太い円柱状をなして砲弾形に形成された頭部３１と、頭部３１の他端３１ｂに固定された適宜な長さのボルト３２と、頭部３１の他端３１ｂと略同じ外径で環状に形成されていてボルト３２に螺合する雌ネジが内周面に刻設された操作リング３３と、外径を合成樹脂管４の内径よりも若干小さくし且つ内径をボルト３２が挿通する大きさに設定して弾性ゴム材を適宜な長さの管状に成形してなる弾性管体３４と、ナット３５とからなり、頭部３１の一端３１ａに固定されたボルト３２に操作リング３３を頭部３１に接合する位置まで螺合し、ボルト３２の端部から挿通させた弾性管体３２をナット３５で留め付けて構成してある。
詳しくは、図３（Ａ）に示されるように、管継手３は、その球状の一端部が頭部３１の他端３１ｂに形成された雌ネジにロッド１の端部を螺子入れてロッド１に一体に連結し、他端部が弾性管体３４を合成樹脂管４の中空内部に挿入することができるようになっている。そして、同図（Ｂ）に示されるように、ボルト３２に螺合した操作リング３３をナット３５側へ締め込むと、弾性管体３４が操作リグ３３とナット３５の間に挟まれて膨張し、弾性管体３４の膨らんだ外周面が合成樹脂管４の内周面に圧接することにより、合成樹脂管４内に弾性管体３４が一体に連結し、管継手３を介してロッド１と合成樹脂管４が一体に接続するようになっている。また、操作リング３３を前記とは逆方向へ回転させれば、弾性管体３４が元の大きさに収縮して、合成樹脂管４の端部から管継手３を抜け外せるようになっている。
【００１５】
合成樹脂管４は、可撓性に優れた例えばポリブデン管などを用いることができる。床下などの敷設空間に屈曲させながら敷設可能であれば、他の材質のものも使用可能である。
【００１６】
本発明の工具を用いて合成樹脂管４を床下５に敷設する場合、図４に示されるように、先ず、先端に通線ヘッド２を取り付けたロッド１を、床面６に形成した挿入口６１からに床下空間に差し入れ、ロッド１を到達口６２に向けて押し込んでゆく（同図（Ａ））。なお、ロッド１は、予め挿入口６１から到達口６２に至る長さに継ぎ合わせておいてもよいし、床下５に押し込みながら棒材１１を逐次継ぎ足すようにしてもよい。
【００１７】
ロッド１を到達口６２まで押し込む途中で、床下５の既設配管などの障害物７にロッド先端の球体２３が衝突すると、押し込みを阻む感触がロッド１を操作する手に伝わるが、その場合に、ロッド１を回転すれば、球体２３が大きく回転して障害物７周辺の空隙に変位するので、そのままロッド１を回転しながら押し込めば、障害物７を除けてロッド１を障害物７の後方へ進出させ、到達口６２に向けて押し込むことができる。
以降、ロッド１を回転させながら押し込む操作を繰り返し、到達口６２までロッド１の先端が進出したならば、ロッド１の先端を到達口６２から床面６上へ引き上げる（同図（Ｂ））。
【００１８】
次いで、挿入口６１側でロッド１の後端に管継手３を介して合成樹脂管４の端部を接続し、到達口６２側でロッド１を引っ張って、合成樹脂管４をロッド１の通線経路に沿って床下５に敷設する（同図（Ｃ））。
【００１９】
そして、合成樹脂管４の先端が到達口６２から床面５上に引き出されたならば、ロッド１及び管継手３を合成樹脂管４から取り外し、合成樹脂管４の両端を水まわり設備などに接続するとともに、挿入口６１及び到達口６２の余剰間隙を閉塞して合成樹脂管４の敷設工事が完了する（同図（Ｄ））。
【００２０】
このように本発明の管敷設工具によれば、ロッド１の先端にコイルバネ２２を介して球体２３を、ロッド１の軸Ｏに対して偏芯させた位置に取り付けてあるので、ロッド１を回転させながら押し込むという簡易な操作により、敷設空間内の障害物７を除けながら、ロッド１を目的の位置まで押し込んで通線し、当該通線経路に沿って合成樹脂管４を敷設することが可能である。また、ロッド１の先端部分が球体２３なので、障害物７との接触抵抗が小さく、ロッド先端が障害物７に当たってもロッド１を無理なくスムーズに押し込むことができ、また、コイルバネ２２がクッションとなって障害物７に加わる衝撃を小さく抑えることができる。
【００２１】
なお、図示した管敷設工具の構成及び管の敷設工程は一例であり、本発明は図示した構成及び工程に限定されず、他の適宜な形状や形態のものに構成可能である。
【図面の簡単な説明】
【００２２】
【図１】本発明の一実施形態の管敷設工具の端部に合成樹脂管を連結した状態の全体構成図である。
【図２】ロッド先端部の部材拡大構成図である。
【図３】ロッド後端部の部材拡大構成図であり、（Ａ）は管継手の要部断面構成を示した図、（Ｂ）は管継手でロッドと合成樹脂管を連結した状態を示した図である。
【図４】本発明の工具を用いて床下に合成樹脂管を敷設する工程を示した図である。
【図５】従来の通線用工具の外観図である。
【符号の説明】
【００２３】
１  ロッド、１１  棒材、２  通線ヘッド、２１  基部、２２  コイルバネ、２３  球体、３  管継手、４  合成樹脂管、５  床下、６  床面、７  障害物
【図１】
2007263138.tif 000003
【図２】
2007263138.tif 000004
【図３】
2007263138.tif 000005
【図４】
2007263138.tif 000006
【図５】
2007263138.tif 000007